(57)【特許請求の範囲】
【請求項１】
第１の配色部と第２の配色部とが、前記第１の配色部が前記第２の配色部よりも大きな面積を具備して行列状に組み合わされて配列された第１の表示部と、
前記第１の表示部に隣接して設けられ、前記第１の配色部と前記第２の配色部とが、前記第２の配色部が前記第１の配色部よりも大きな面積を具備して行列状に組み合わされて配列された第２の表示部と、
前記第１の表示部上に等間隔で行列状に配列された複数の第１及び第２のエンボスと、
前記第２の表示部上に等間隔で行列状に配列された複数の第３及び第４のエンボスとを有し、
前記第１の表示部は、
前記第１の配色部が、前記第１のエンボスの麓部または前記第１のエンボス間と、前記第２のエンボスの頂点を含む領域とに配され、
前記第２の配色部が、前記第１のエンボスの頂点を含む領域と、前記第２のエンボスの麓部または前記第２のエンボス間とに配され、
前記第２の表示部は、
前記第１の配色部が、前記第３のエンボスの麓部または前記第３のエンボス間と、前記第４のエンボスの頂点を含む領域とに配され、
前記第２の配色部が、前記第３のエンボスの頂点を含む領域と、前記第４のエンボスの麓部または前記第４のエンボス間とに配されている偽造防止シート。
【発明の詳細な説明】
【技術分野】
【０００１】
本発明は、偽造防止シート等の偽造防止媒体に関し、特に、観察方向の制限を緩和するための技術に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、真偽判別ができなくなる虞れがある。
【０００７】
本発明は、上述したような従来の技術が有する問題点に鑑みてなされたものであって、観察方向に制限されることなく真偽判別を容易に行うことができる偽造防止媒体を提供することを目的とする。
【課題を解決するための手段】
【０００８】
上記目的を達成するために本発明は、
第１の配色部と第２の配色部とが、前記第１の配色部が前記第２の配色部よりも大きな面積を具備して行列状に組み合わされて配列された第１の表示部と、
前記第１の表示部に隣接して設けられ、前記第１の配色部と前記第２の配色部とが、前記第２の配色部が前記第１の配色部よりも大きな面積を具備して行列状に組み合わされて配列された第２の表示部と、
前記第１の表示部上に等間隔で行列状に配列された複数の第１及び第２のエンボスと、
前記第２の表示部上に等間隔で行列状に配列された複数の第３及び第４のエンボスとを有し、
前記第１の表示部は、
前記第１の配色部が、前記第１のエンボスの麓部または前記第１のエンボス間と、前記第２のエンボスの頂点を含む領域とに配され、
前記第２の配色部が、前記第１のエンボスの頂点を含む領域と、前記第２のエンボスの麓部または前記第２のエンボス間とに配され、
前記第２の表示部は、
前記第１の配色部が、前記第３のエンボスの麓部または前記第３のエンボス間と、前記第４のエンボスの頂点を含む領域とに配され、
前記第２の配色部が、前記第３のエンボスの頂点を含む領域と、前記第４のエンボスの麓部または前記第４のエンボス間とに配されている。
【０００９】
上記のように構成された本発明においては、正面から観察した場合、第１及び第２の表示部のそれぞれにおいては第１の配色部と第２の配色部とによる色彩が認識される。この際、第１の表示部には複数の第１及び第２のエンボスが行列状に配列されており、第２の表示部には複数の第３及び第４のエンボスが行列状に配列されているが、正面から観察した場合は、第１〜第４のエンボスは認識されずに第１の配色部と第２の配色部とが認識されるだけである。第１の表示部においては、第１の配色部の面積が第２の配色部の面積よりも大きいため、第１の配色部と第２の配色部とによる色彩であって、第１の配色部の割合が第２の配色部よりも大きな色彩が認識される。また、第２の表示部においては、第２の配色部の面積が第１の配色部の面積よりも大きいため、第１の配色部と第２の配色部とによる色彩であって、第２の配色部の割合が第１の配色部よりも大きな色彩が認識される。この状態から観察方向を第１及び第２の表示部に対して鋭角をなす方向に変化させていくと、第１〜第４のエンボスの麓部や第１〜第４のエンボス間の領域がその第１〜第４のエンボスの観察方向側に隣接するエンボスによって隠れて見えなくなっていき、頂点を含む領域のみが見えるような状態となる。ここで、第１の表示部においては、第１の配色部が、第１のエンボスの麓部または複数の第１のエンボス間と第２のエンボスの頂点を含む領域とに配されているとともに、第２の配色部が、第１のエンボスの頂点を含む領域と第２のエンボスの麓部または複数の第２のエンボス間とに配されているため、観察方向を変化させていくことにより第１及び第２のエンボスの麓部や第１及び第２のエンボス間の領域が見えなくなっていくと、第１のエンボスが設けられた領域においては、第２の配色部が認識されたままとなるとともに第１の配色部が認識されにくくなくなっていき、また、第２のエンボスが設けられた領域においては、第１の配色部が認識されたままとなるとともに第２の配色部が認識されにくくなくなっていく。そのため、第１の表示部においては、第１のエンボスが設けられた領域が、第１の配色部と第２の配色部とによる色彩であって、正面から観察した場合と比べて第２の配色部の割合が大きな色彩が認識されることとなり、また、第２のエンボスが設けられた領域が、第１の配色部と第２の配色部とによる色彩であって、正面から観察した場合と比べて第１の配色部の割合が大きな色彩が認識されることとなる。また、第２の表示部においては、第１の配色部が、第３のエンボスの麓部または複数の第３のエンボス間と第４のエンボスの頂点を含む領域とに配されているとともに、第２の配色部が、第３のエンボスの頂点を含む領域と第４のエンボスの麓部または複数の第４のエンボス間とに配されているため、観察方向を変化させていくことにより第３及び第４のエンボスの麓部や第３及び第４のエンボス間の領域が見えなくなっていくと、第３のエンボスが設けられた領域においては、第２の配色部が認識されたままとなるとともに第１の配色部が認識されにくくなくなっていき、また、第４のエンボスが設けられた領域においては、第１の配色部が認識されたままとなるとともに第２の配色部が認識されにくくなくなっていく。そのため、第２の表示部においては、第３のエンボスが設けられた領域が、第１の配色部と第２の配色部とによる色彩であって、正面から観察した場合と比べて第２の配色部の割合が大きな色彩が認識されることとなり、また、第４のエンボスが設けられた領域が、第１の配色部と第２の配色部とによる色彩であって、正面から観察した場合と比べて第１の配色部の割合が大きな色彩が認識されることとなる。
【００１０】
このように、正面から観察した場合と、観察方向を正面から変化した場合とで第１及び第２の表示部内にて認識される色彩が変化して複数の色彩が認識されることで真偽判別が可能となり、また、第１の表示部と第２の表示部とで認識される色彩が異なることによっても真偽判別が可能となる。
【発明の効果】
【００１１】
以上説明したように本発明においては、第１の配色部と第２の配色部とが、第１の配色部が第２の配色部よりも大きな面積を具備して行列状に組み合わされて配列された第１の表示部と、第１の表示部に隣接して設けられ、第１の配色部と第２の配色部とが、第２の配色部が第１の配色部よりも大きな面積を具備して行列状に組み合わされて配列された第２の表示部と、第１の表示部上に等間隔で行列状に配列された複数の第１及び第２のエンボスと、第２の表示部上に等間隔で行列状に配列された複数の第３及び第４のエンボスとを有し、第１の表示部においては、第１の配色部が、第１のエンボスの麓部または第１のエンボス間と第２のエンボスの頂点を含む領域とに配され、第２の配色部が、第１のエンボスの頂点を含む領域と第２のエンボスの麓部または第２のエンボス間とに配され、第２の表示部においては、第１の配色部が、第３のエンボスの麓部または第３のエンボス間と第４のエンボスの頂点を含む領域とに配され、第２の配色部が、第３のエンボスの頂点を含む領域と第４のエンボスの麓部または前記第４のエンボス間とに配された構成としたため、正面から観察した場合は第１の配色部と第２の配色部とによる色彩が認識され、その後、観察方向を正面からどの方向に変化させた場合であっても、エンボスの麓部やエンボス間の領域がそのエンボスの観察方向側に隣接するエンボスによって隠れて見えなくなっていき、頂点を含む領域のみが見えるような状態となり、第１の表示部においては、第１のエンボスが設けられた領域が、第１の配色部と第２の配色部とによる色彩であって、正面から観察した場合と比べて第２の配色部の割合が大きな色彩が認識されることとなり、第２のエンボスが設けられた領域が、第１の配色部と第２の配色部とによる色彩であって、正面から観察した場合と比べて第１の配色部の割合が大きな色彩が認識されることとなり、また、第２の表示部においては、第３のエンボスが設けられた領域が、第１の配色部と第２の配色部とによる色彩であって、正面から観察した場合と比べて第２の配色部の割合が大きな色彩が認識されることとなり、また、第４のエンボスが設けられた領域が、第１の配色部と第２の配色部とによる色彩であって、正面から観察した場合と比べて第１の配色部の割合が大きな色彩が認識されることとなり、正面から観察した場合と観察方向を正面から変化させた場合とで第１及び第２の表示部内にて認識される色彩が変化して複数の色彩が認識され、観察方向に制限されることなく真偽判別を容易に行うことができ、また、第１の表示部と第２の表示部とで認識される色彩が異なることによっても真偽判別を容易に行うことができる。
【発明を実施するための最良の形態】
【００１２】
以下に、本発明の実施の形態について図面を参照して説明する。
【００１３】
図１は、本発明の偽造防止媒体の実施の一形態となる偽造防止シートを示す図であり、（ａ）は全体の構成を示す図、（ｂ）は（ａ）に示した偽造防止構造１０の詳細な構成を示す図、（ｃ）は（ｂ）に示したＡ−Ａ’断面図、（ｄ）は（ｂ）に示したＢ−Ｂ’断面図、（ｅ）は（ｂ）に示したエンボス１４ａ−１の構成を示す図、（ｆ）は（ｂ）に示したエンボス１４ａ−２の構成を示す図、（ｇ）は（ｂ）に示したエンボス１４ｂ−１の構成を示す図、（ｈ）は（ｂ）に示したエンボス１４ｂ−２の構成を示す図である。
【００１４】
本形態の偽造防止シート１は図１に示すように、紙からなるシート基材２の一部の領域に偽造防止構造１０が設けられて構成されている。シート基材２は、平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられるが、その場合、偽造防止構造１０による情報が見にくくならないようにする必要がある。
【００１５】
シート基材２に設けられた偽造防止構造１０は図１（ｂ）に示すように、第１の表示部１１ａ及び第２の表示部１１ｂが表示部１１ａを表示部１１ｂが取り囲むように設けられるとともに、この第１の表示部１１ａ上には複数の第１のエンボス１４ａ−１及び第２のエンボス１４ａ−２がそれぞれ行列状に形成され、第２の表示部１１ｂ上には複数の第３のエンボス１４ｂ−１及び第４のエンボス１４ｂ−２がそれぞれ行列状に形成されている。表示部１１ａは、白色からなる第１の配色部１２ａと黒色からなる第２の配色部１３ａとが行列状に組み合わされて構成されており、配色部１２ａの面積が配色部１３ａの面積よりも大きくなっている。また、表示部１１ｂは、白色からなる第１の配色部１２ｂと黒色からなる第２の配色部１３ｂとが行列状に組み合わされて構成されており、配色部１３ｂの面積が配色部１２ｂの面積よりも大きくなっている。エンボス１４ａ−１，１４ａ−２，１４ｂ−１，１４ｂ−２は、図１（ｃ）〜（ｈ）に示すように、円錐から頂点の部分が取り除かれた形状であって、シート基材２をエンボス版等で平面部３側から０．０２〜０．１ｍｍ程度窪ませることにより側面１６ａ−１，１６ａ−２，１６ｂ−１，１６ｂ−２が形成され、平面部３との同一面が頂点となる頂部１５ａ−１，１５ａ−２，１５ｂ−１，１５ｂ−２となっている。そして、この頂部１５ａ−１，１５ａ−２，１５ｂ−１，１５ｂ−２からシート基材２の窪み方向に向かうに従ってその断面積が徐々に広くなり、エンボス１４ａ−１，１４ａ−２，１４ｂ−１，１４ｂ−２の底部においては、直径が０．５ｍｍ以下の円形状となっている。
【００１６】
エンボス１４ａ−１は、２つの配色部１２ａ，１３ａが組み合わされてなる表示部１１ａ上の所定の領域に等間隔で行列状に形成されており、図１（ｅ）に示すように、２つの配色部１２ａ，１３ａのうち、白色からなる配色部１２ａがエンボス１４ａ−１の側面１６ａ−１から麓部及びエンボス１４ａ−１間にかけて配され、また、黒色からなる配色部１３ａがエンボス１４ａ−１の頂部１５ａ−１及び側面１６ａ−１の一部に配されている。また、エンボス１４ａ−２は、２つの配色部１２ａ，１３ａが組み合わされてなる表示部１１ａ上のエンボス１４ａ−１が形成されていない領域に等間隔で行列状に形成されており、図１（ｆ）に示すように、２つの配色部１２ａ，１３ａのうち、黒色からなる配色部１３ａがエンボス１４ａ−２間に配され、また、白色からなる配色部１２ａがエンボス１４ａ−２全体を含むように配されている。
【００１７】
また、エンボス１４ｂ−１は、２つの配色部１２ｂ，１３ｂが組み合わされてなる表示部１１ｂ上の所定の領域に等間隔で行列状に形成されており、図１（ｇ）に示すように、２つの配色部１２ｂ，１３ｂのうち、白色からなる配色部１２ｂがエンボス１４ｂ−１間に配され、また、黒色からなる配色部１３ｂがエンボス１４ｂ−１全体を含むように配されている。また、エンボス１４ｂ−２は、２つの配色部１２ｂ，１３ｂが組み合わされてなる表示部１１ｂ上のエンボス１４ｂ−１が形成されていない領域に等間隔で行列状に形成されており、図１（ｈ）に示すように、２つの配色部１２ｂ，１３ｂのうち、黒色からなる配色部１３ｂがエンボス１４ｂ−２の側面１６ｂ−２から麓部及びエンボス１４ｂ−２間にかけて配され、また、白色からなる配色部１２ｂがエンボス１４ｂ−２の頂部１５ｂ−２及び側面１６ｂ−２の一部に配されている。
【００１８】
なお、２つの表示部１１ａ，１１ｂの形状、表示部１１ａ，１１ｂにおける配色部１２ａ，１２ｂ，１３ａ，１３ｂの配置、及びエンボス１４ａ−１，１４ａ−２，１４ｂ−１，１４ｂ−２の数については図示したものに限らず、エンボス１４ａ−１，１４ａ−２，１４ｂ−１，１４ｂ−２の数を多くすればするほど、この偽造防止構造１０によって真偽判別を行うための情報を精細なものとすることができ、真偽判別を行うための情報となる文字等が複雑な形状のものであっても、その文字等を構成する複数の直線や曲線等を表現しやすくなる。
【００１９】
以下に、上記のように構成された偽造防止シート１の製造方法について説明する。
【００２０】
まず、シート基材２の偽造防止構造１０が設けられる領域に、配色部１３ａ，１３ｂを黒色で印刷する。この配色部１３ａ，１３ｂの組み合わせは、偽造防止構造１０によって真偽判別を行うための情報に応じて予め設定されており、印刷データとして与えられる。また、これら配色部１３ａ，１３ｂの印刷は、上述したようなプレ印刷と同時に行ってもよいし、上述したプレ印刷を行った後に行ってもよい。
【００２１】
次に、配色部１３ａ，１３ｂが印刷された領域に、シート基材２の平面部３側からエンボス版を押し付けることにより複数のエンボス１４ａ−１，１４ａ−２，１４ｂ−１，１４ｂ−２を形成する。このエンボス版によるエンボス１４ａ−１，１４ａ−２，１４ｂ−１，１４ｂ−２のそれぞれのピッチと配色部１３ａ，１３ｂのピッチとは同一であって、表示部１１ａにおいては、エンボス１４ａ−１がその中心が配色部１３ａそれぞれの中心と重なるように形成され、エンボス１４ａ−２が配色部１３ａ間をその中心として形成され、また、表示部１１ｂにおいては、エンボス１４ｂ−１がその中心が配色部１３ｂそれぞれの中心と重なるように形成され、エンボス１４ｂ−２が配色部１３ｂ間をその中心として形成される。
【００２２】
上述したようにして偽造防止シート１が製造され、その後、用途に応じた情報がシート基材２の情報印刷領域４に印刷されて使用されることになる。
【００２３】
以下に、上述した偽造防止シート１の作用について説明する。
【００２４】
まず、図１に示した偽造防止シート１を正面、すなわち、シート基材２の平面部３の法線方向から観察した場合の作用について説明する。
【００２５】
図２は、図１に示した偽造防止シート１を正面から観察した場合の作用を説明するための図であり、偽造防止構造１０の見え方を示す。
【００２６】
図１に示した偽造防止シート１を、正面、すなわち平面部３の法線方向から観察した場合、図２に示すように、偽造防止構造１０においては、配色部１２ａ，１２ｂが白色であるのに対して配色部１３ａ，１３ｂが黒色であることから、表示部１１ａにおいては、配色部１２ａの白色と配色部１３ａの黒色とによる色彩が認識され、また、表示部１１ｂにおいては、配色部１２ｂの白色と配色部１３ｂの黒色とによる色彩が認識される。この際、シート基材２の表示部１１ａ，１１ｂにはそれぞれ、エンボス１４ａ−１，１４ａ−２，１４ｂ−１，１４ｂ−２が形成されているが、偽造防止シート１を正面から観察した場合は、このエンボス１４ａ−１，１４ａ−２，１４ｂ−１，１４ｂ−２の突出方向から観察することになるため、配色部１２ａ，１２ｂ，１３ａ，１３ｂは観察方向から遮るものが存在せず、また、エンボス１４ａ−１，１４ａ−２，１４ｂ−１，１４ｂ−２が認識されにくく、表示部１１ａにおいては、配色部１２ａの白色と配色部１３ａの黒色とによる色彩が認識され、また、表示部１１ｂにおいては、配色部１２ｂの白色と配色部１３ｂの黒色とによる色彩が認識される。本形態においては、表示部１１ａにおいては、白色からなる配色部１２ａの面積が黒色からなる配色部１３ａの面積よりも大きいために淡い灰色に見え、表示部１１ｂにおいては、黒色からなる配色部１３ｂの面積が白色からなる配色部１２ｂの面積よりも大きいために濃い灰色に見える。
【００２７】
次に、図１に示した偽造防止シート１に対する観察方向を正面、すなわち、シート基材２の平面部３の法線方向から変化させていった場合の作用について説明する。
【００２８】
図３は、図１に示した偽造防止シート１に対する観察方向を正面から変化させていった場合の作用を説明するための図であり、（ａ）は表示部１１ａに形成されたエンボス１４ａ−１について側面方向から見た図、（ｂ）は表示部１１ａに形成されたエンボス１４ａ−２について側面方向から見た図、（ｃ）は表示部１１ｂに形成されたエンボス１４ｂ−１について側面方向から見た図、（ｄ）は表示部１１ｂに形成されたエンボス１４ｂ−２について側面方向から見た図、（ｅ）は偽造防止構造１０の見え方を示す図である。
【００２９】
図１に示した偽造防止シート１に対する観察方向を正面から変化させていくと、シート基材２の平面部３に対する観察方向のなす角度が鋭角になっていく。すると、図３（ａ）〜（ｄ）に示すように、複数のエンボス１４ａ−１，１４ａ−２，１４ｂ−１，１４ｂ−２の側面１６ａ−１，１６ａ−２，１６ｂ−１，１６ｂ−２から麓部及び複数のエンボス１４ａ−１，１４ａ−２，１４ｂ−１，１４ｂ−２間に渡る領域が、そのエンボス１４ａ−１，１４ａ−２，１４ｂ−１，１４ｂ−２の観察方向側に隣接するエンボス１４ａ−１，１４ａ−２，１４ｂ−１，１４ｂ−２によって隠れて見えなくなっていき、頂部１５ａ−１，１５ａ−２，１５ｂ−１，１５ｂ−２のみが見えるような状態となる。
【００３０】
ここで、複数のエンボス１４ａ−１，１４ａ−２，１４ｂ−１，１４ｂ−２のうち、表示部１１ａに形成されたエンボス１４ａ−１においては、図１（ｅ）に示したように、表示部１１ａを構成する配色部１２ａ，１３ａのうち白色からなる配色部１２ａがエンボス１４ａ−１の側面１６ａ−１から麓部及びエンボス１４ａ−１間にかけて配され、また、黒色からなる配色部１３ａがエンボス１４ａ−１の頂部１５ａ−１及び側面１６ａ−１の一部に配されているため、偽造防止シート１に対する観察方向を正面から変化させていき、エンボス１４ａ−１の側面１６ａ−１から麓部及び複数のエンボス１４ａ−１間に渡る領域が、そのエンボス１４ａ−１の観察方向側に隣接するエンボス１４ａ−２，１４ｂ−１によって隠れて見えなくなっていき、頂部１５ａ−１のみが見えるような状態となると、配色部１３ａによる黒色は認識されるものの、配色部１２ａによる白色が認識されにくくなっていく。それにより、表示部１１ａのうちエンボス１４ａ−１が形成された領域においては、図３（ｅ）に示すように、配色部１２ａと配色部１３ａとによる色彩であって、正面から観察した場合と比べて配色部１３ａの割合が大きな色彩となる濃い灰色が認識されることとなる。また、表示部１１ａに形成されたエンボス１４ａ−２においては、図１（ｆ）に示したように、エンボス１４ａ−２の頂部１５ａ−２及び側面１６ａ−２が白色の配色部１２ａのみからなり、黒色の配色部１３ａはエンボス１４ａ−２間のみに配されているため、偽造防止シート１に対する観察方向を正面から変化させていき、エンボス１４ａ−２の側面１６ａ−２から麓部及び複数のエンボス１４ａ−２間に渡る領域が、そのエンボス１４ａ−２の観察方向側に隣接するエンボス１４ａ−１，１４ａ−２，１４ｂ−１，１４ｂ−２によって隠れて見えなくなっていき、頂部１５ａ−２のみが見えるような状態となると、配色部１２ａによる白色は認識されるものの、配色部１３ａによる黒色が認識されなくなっていく。それにより、表示部１１ａのうちエンボス１４ａ−２が形成された領域においては、図３（ｅ）に示すように、配色部１２ａによる白色のみが認識されることとなる。
【００３１】
このように、表示部１１ａにおいては、偽造防止シート１を正面から観察した場合は全体が淡い灰色に見え、その後、観察方向を正面から変化させると、エンボス１４ａ−１が形成された領域が濃い灰色に見え、エンボス１４ａ−２が形成された領域が白色に見えるようになり、偽造防止シート１を正面から観察した場合と観察方向を正面から変化させた場合とで表示部１１ａにて認識される色彩が変化するとともにエンボス１４ａ−１，１４ａ−２の配置によって異なる情報が浮き上がって見えるようになることで真偽判別が可能となる。
【００３２】
また、表示部１１ｂに形成されたエンボス１４ｂ−１においては、図１（ｇ）に示したように、エンボス１４ｂ−１の頂部１５ｂ−１及び側面１６ｂ−１が、表示部１１ｂを構成する配色部１２ｂ，１３ｂのうち黒色の配色部１３ｂのみからなり、白色の配色部１２ｂはエンボス１４ｂ−１間のみに配されているため、偽造防止シート１に対する観察方向を正面から変化させていき、エンボス１４ｂ−１の側面１６ｂ−１から麓部及び複数のエンボス１４ｂ−１間に渡る領域が、そのエンボス１４ｂ−１の観察方向側に隣接するエンボス１４ａ−１，１４ａ−２，１４ｂ−１，１４ｂ−２によって隠れて見えなくなっていき、頂部１５ｂ−１のみが見えるような状態となると、配色部１３ｂによる黒色は認識されるものの、配色部１２ｂによる白色が認識されなくなっていく。それにより、表示部１１ｂのうちエンボス１４ｂ−１が形成された領域においては、図３（ｅ）に示すように、配色部１３ｂによる黒色のみが認識されることとなる。また、表示部１１ｂに形成されたエンボス１４ｂ−２においては、図１（ｈ）に示したように、黒色からなる配色部１３ｂがエンボス１４ｂ−２の側面１６ｂ−２から麓部及びエンボス１４ｂ−２間にかけて配され、また、白色からなる配色部１２ｂがエンボス１４ｂ−２の頂部１５ｂ−２及び側面１６ｂ−２の一部に配されているため、偽造防止シート１に対する観察方向を正面から変化させていき、エンボス１４ｂ−２の側面１６ｂ−２から麓部及び複数のエンボス１４ｂ−２間に渡る領域が、そのエンボス１４ｂ−２の観察方向側に隣接するエンボス１４ａ−２，１４ｂ−１，１４ｂ−２によって隠れて見えなくなっていき、頂部１５ｂ−２のみが見えるような状態となると、配色部１２ｂによる白色は認識されるものの、配色部１３ｂによる黒色が認識されにくくなっていく。それにより、表示部１１ｂのうちエンボス１４ｂ−２が形成された領域においては、図３（ｅ）に示すように、配色部１２ｂと配色部１３ｂとによる色彩であって、正面から観察した場合と比べて配色部１２ｂの割合が大きな色彩となる淡い灰色が認識されることとなる。
【００３３】
このように、表示部１１ｂにおいては、偽造防止シート１を正面から観察した場合は全体が濃い灰色に見え、その後、観察方向を正面から変化させると、エンボス１４ｂ−１が形成された領域が白色に見え、エンボス１４ｂ−２が形成された領域が淡い灰色に見えるようになり、偽造防止シート１を正面から観察した場合と観察方向を正面から変化させた場合とで表示部１１ｂにて認識される色彩が変化するとともにエンボス１４ｂ−１，１４ｂ−２の配置によって異なる情報が浮き上がって見えるようになることで真偽判別が可能となる。
【００３４】
図１に示した偽造防止構造１０においては、配色部１２ａ，１３ａが行列状に配されてなる表示部１１ａと配色部１２ｂ，１３ｂが行列状に配されてなる表示部１１ｂのそれぞれに複数のエンボス１４ａ−１，１４ａ−２，１４ｂ−１，１４ｂ−２が行列状に形成されているため、偽造防止シート１に対する観察方向を正面からどの方向に変化させていった場合であっても上述したような作用が生じ、観察方向に制限されることなく真偽判別を行うことができるようになる。
【００３５】
上述した偽造防止シート１は、複写した場合、シート基材２の情報印刷領域４に印刷された情報や、シート基材２に印刷により行列状に設けられた配色部１２ａ，１２ｂ，１３ａ，１３ｂは複写されるものの、エンボス１４ａ−１，１４ａ−２，１４ｂ−１，１４ｂ−２までは再現できない。そのため、複写物の観察方向を変えていった場合であっても、表示部１１ａ，１１ｂにて認識される色彩が変化せず、それにより、真偽判別を行うことが可能となる。また、エンボス１４ａ，１４ｂが、シート基材２の平面部３を窪ませることによって形成されているため、シート基材２を表裏から見た場合や、直接触れた場合において、エンボス１４ａ−１，１４ａ−２，１４ｂ−１，１４ｂ−２が認識されにくく、エンボス１４ａ−１，１４ａ−２，１４ｂ−１，１４ｂ−２が再現しにくいものとなり、偽造防止機能を向上させることができる。
【００３６】
なお、本形態におけるエンボス１４ａ−１，１４ａ−２，１４ｂ−１，１４ｂ−２の高さや平面部３から窪んだ底部の寸法については、上述したものに限らず、適宜設定が可能である。
【００３７】
また、エンボス１４ａ−１，１４ａ−２，１４ｂ−１，１４ｂ−２においては、円柱形のものや頂部１５ａ−１，１５ａ−２，１５ｂ−１，１５ｂ−２がない円錐形のものやドーム型のものとすることも考えられる。また、断面が矩形状となるものとすることも考えられる。また、シート基材２の平面部３を窪ませることによって形成されるものに限らず、シート基材２の平面部３から平面部３の法線方向に突出したものであってもよい。
【００３８】
また、本形態においては、第１の表示部１１ａ及び第２の表示部１１ｂが、表示部１１ａを表示部１１ｂが取り囲むように設けられているが、第１の表示部１１ａと第２の表示部１１ｂとが互いに隣接している構成であればよい。
【００３９】
また、配色部１２ａ，１２ｂ，１３ａ，１３ｂの形状については、本形態に示したような形状に限らず、ひし形等、適宜な形状のものを用いることができる。
【００４０】
また、本形態においては、表示部１１ａにおいて、エンボス１４ａ−１がその中心が配色部１３ａそれぞれの中心と重なるように形成され、エンボス１４ａ−２が配色部１３ａ間をその中心として形成され、また、表示部１１ｂにおいて、エンボス１４ｂ−１がその中心が配色部１３ｂそれぞれの中心と重なるように形成され、エンボス１４ｂ−２が配色部１３ｂ間をその中心として形成されているが、配色部１３ａ，１３ｂとエンボス１４ａ−１，１４ａ−２，１４ｂ−１，１４ｂ−２との位置関係が多少ずれたものでも、上述した効果を得ることができる。
【００４１】
また、第１の配色部１２ａ，１２ｂと第２の配色部１３ａ，１３ｂの色は、上述したように白色と黒色に限らず、互いに異なるものであれば適宜の色を適用することができる。なお、第１の配色部１２ａ，１２ｂと第２の配色部１３ａ，１３ｂの色として、例えば赤色と青色等というように黒色を用いない方が、第１の配色部１２ａ，１２ｂと第２の配色部１３ａ，１３ｂとの面積の割合による色彩の変化が認識しやすい。
【００４２】
また、本形態においては、偽造防止媒体として、紙からなるシート基材２に偽造防止構造１０が設けられた偽造防止シート１を例に挙げて説明したが、本発明はこのような偽造防止シート１に限らず、フィルムからなるシート基材や複数の樹脂層が積層されてなるカード基材に上述したような偽造防止構造１０を設けたものにも適用することが可能である。
【図面の簡単な説明】
【００４３】
【図１】本発明の偽造防止媒体の第１の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したエンボスの構成を示す図、（ｅ）は（ｂ）に示したエンボスの構成を示す図である。
【図２】図１に示した偽造防止シートを正面から観察した場合の作用を説明するための図である。
【図３】図１に示した偽造防止シートに対する観察方向を正面から変化させていった場合の作用を説明するための図であり、（ａ）は表示部に形成されたエンボスについて側面方向から見た図、（ｂ）は表示部に形成されたエンボスについて側面方向から見た図、（ｃ）は偽造防止構造の見え方を示す図である。
【符号の説明】
【００４４】
１    偽造防止シート
２    シート基材
３    平面部
４    情報印刷領域
１０    偽造防止構造
１１ａ，１１ｂ    表示部
１２ａ，１２ｂ，１３ａ，１３ｂ    配色部
１４ａ−１，１４ａ−２，１４ｂ−１，１４ｂ−２    エンボス
１５ａ−１，１５ａ−２，１５ｂ−１，１５ｂ−２    頂部
１６ａ−１，１６ａ−２，１６ｂ−１，１６ｂ−２    側面
【図１】
0004997092.tif 000002
【図２】
0004997092.tif 000003
【図３】
0004997092.tif 000004